(57)【特許請求の範囲】
【請求項１】
接続端子と、該接続端子を収容する端子収容孔を有したコネクタハウジングとを備え、
前記接続端子には、ランス係合部と、誤挿入防止用のスタビライザと、が備えられ、
前記コネクタハウジングには、前記スタビライザを誘導するガイド溝が備えられると共に、前記端子収容孔への挿入が完了した接続端子の抜けを防止する手段として、前記ランス係合部に係合して前記接続端子の抜け方向への移動を規制するランスと、前記スタビライザと係合して前記接続端子の抜け方向への移動を規制するスタビライザ係止手段と、が備えられるコネクタであって、
前記ガイド溝は、前記ランスの側方に前記ランスの延在方向に沿って延設され、
前記スタビライザ係止手段は、前記ランスの側面に一体形成された隆起構造であり、前記スタビライザを係止する先端面と、前記スタビライザを前記先端面に案内する傾斜面と、該傾斜面に連続してスタビライザ挿入元側に延在して形成され前記ガイド溝の底面を兼用する上面とを有し、
前記ランス係合部は、前記接続端子の幅方向に偏心した状態で形成され、かつ前記接続端子の上部壁と側壁部とに跨がって開口を形成することで形成されていることを特徴とするコネクタ。
【発明の詳細な説明】
【技術分野】
【０００１】
本発明は、コネクタハウジングに収容した接続端子抜けを防止する手段として、前記接続端子のランス係合部に係合して前記接続端子の抜け方向への移動を規制するランスと、前記接続端子のスタビライザと係合して前記接続端子の抜け方向への移動を規制するスタビライザ係止手段と、を備えるコネクタに関する。
【背景技術】
【０００２】
図１３及び図１４は、下記特許文献１に開示されたコネクタを示している。
このコネクタ１０１は、金属板製の接続端子１１０と、該接続端子１１０を収容する端子収容孔１２１を有したコネクタハウジング１２０と、を備える。
【０００３】
接続端子１１０は、金属板のプレス成形により形成された雌端子である。この接続端子１１０は、相手の接続端子（不図示）の先端部と嵌合する角筒状の端子嵌合部１１１と、この端子嵌合部１１１の後端に連なる角筒状部１１２と、この角筒状部１１２の後端に連なる電線圧着部１１３と、を備えている。
【０００４】
そして、角筒状部１１２上には、ランス係合部１１４と、誤挿入防止用のスタビライザ１１６と、が備えられている。
【０００５】
ランス係合部１１４は、後述するコネクタハウジング１２０のランス１２３と対向する角筒状部１１２の外壁部１１２ａに形成した開口である。
【０００６】
スタビライザ１１６は、外壁部１１２ａの両側に位置する外側壁部１１２ｂの端縁の一部を、後述の端子収容孔１２１の底部１２１ａ側に延長した突片である。
【０００７】
コネクタハウジング１２０には、スタビライザ１１６を誘導するガイド溝（不図示）が備えられると共に、端子収容孔１２１への挿入が完了した接続端子１１０の抜けを防止する手段として、ランス１２３と、スタビライザ係止手段としてのリテーナ１２４とが備えられる。
【０００８】
スタビライザ１１６を誘導する不図示のガイド溝は、接続端子１１０におけるスタビライザ１１６の配置に対応して、スタビライザ１１６が対向する端子収容孔１２１の底部１２１ａの両側縁に装備されている。
【０００９】
ランス１２３は、接続端子１１０の端子収容孔１２１への挿入途中では、外壁部１１２ａとの干渉で端子嵌合部１１１から離れる方向に撓み変位可能に形成された弾性係止片である。このランス１２３は、接続端子１１０の端子収容孔１２１への挿入が完了したときに、ランス係合部１１４に係合して、接続端子１１０の抜け方向への移動を規制する。
【００１０】
スタビライザ係止手段としてのリテーナ１２４は、コネクタハウジング１２０とは別体に形成された部材で、コネクタハウジング１２０に着脱可能である。
【００１１】
このリテーナ１２４は、接続端子１１０の端子収容孔１２１への挿入が完了した後でコネクタハウジング１２０に装着される。リテーナ１２４はコネクタハウジング１２０に装着されると、図１３に示したように、端子収容孔１２１に保持されている接続端子１１０のスタビライザ１１６の後端縁１１６ａと係合して、接続端子１１０の抜け方向への移動を規制する。
【００１２】
以上に説明したコネクタ１０１は、コネクタハウジング１２０に収容した接続端子１１０の抜け止めを、ランス１２３と、スタビライザ係止手段としてのリテーナ１２４とで２重に行う。そのため、接続端子の抜け止め手段としてランスのみしか備えていないコネクタの場合と比較すると、接続端子の保持力を向上させることができる。
【先行技術文献】
【特許文献】
【００１３】
【特許文献１】特開平８−２１３０９１号公報
【発明の概要】
【発明が解決しようとする課題】
【００１４】
ところが、特許文献１に開示されたコネクタの場合、スタビライザ係止手段として、コネクタハウジング１２０とは別体のリテーナ１２４を使用しているため、コネクタの構成部品の増加や、組立工程の増加といった問題が発生した。
【００１５】
そこで、本発明の目的は、上記課題を解消することに係り、構成部品や組立工程の増加を招くことなく、接続端子の保持力を向上させることのできるコネクタを提供することにある。
【課題を解決するための手段】
【００１６】
本発明の前述した目的は、下記の構成により達成される。
（１）接続端子と、該接続端子を収容する端子収容孔を有したコネクタハウジングとを備え、
前記接続端子には、ランス係合部と、誤挿入防止用のスタビライザと、が備えられ、
前記コネクタハウジングには、前記スタビライザを誘導するガイド溝が備えられると共に、前記端子収容孔への挿入が完了した接続端子の抜けを防止する手段として、前記ランス係合部に係合して前記接続端子の抜け方向への移動を規制するランスと、前記スタビライザと係合して前記接続端子の抜け方向への移動を規制するスタビライザ係止手段と、が備えられるコネクタであって、
前記ガイド溝は、前記ランスの側方に前記ランスの延在方向に沿って延設され、
前記スタビライザ係止手段は、前記ランスの側面に一体形成された隆起構造であり、前記スタビライザを係止する先端面と、前記スタビライザを前記先端面に案内する傾斜面と、該傾斜面に連続してスタビライザ挿入元側に延在して形成され前記ガイド溝の底面を兼用する上面とを有し、
前記ランス係合部は、前記接続端子の幅方向に偏心した状態で形成され、かつ前記接続端子の上部壁と側壁部とに跨がって開口を形成することで形成されていることを特徴とするコネクタ。
【００１７】
上記（１）の構成によれば、コネクタハウジングに収容した接続端子の抜け止めを、ランスと、スタビライザ係止手段とで２重に行う。そのため、接続端子の抜け止め手段としてランスのみしか備えていないコネクタの場合と比較すると、接続端子の保持力を向上させることができる。
【００１８】
しかも、上記（１）の構成によれば、スタビライザ係止手段は、ランスの側面に一体形成された隆起構造で、構成部品や組立工程の増加を招かない。
【００１９】
従って、上記（１）の構成によれば、構成部品や組立工程の増加を招くことなく、接続端子の保持力を向上させることができる。
【発明の効果】
【００２０】
本発明によるコネクタによれば、コネクタハウジングに収容した接続端子の抜け止めを、ランスと、スタビライザ係止手段とで２重に行う。そのため、接続端子の抜け止め手段としてランスのみしか備えていないコネクタの場合と比較すると、接続端子の保持力を向上させることができる。
【００２１】
しかも、本発明によるコネクタによれば、スタビライザ係止手段は、ランスの側面に一体形成された隆起構造で、構成部品や組立工程の増加を招かない。
【００２２】
従って、本発明によるコネクタによれば、構成部品や組立工程の増加を招くことなく、接続端子の保持力を向上させることができる。
【図面の簡単な説明】
【００２３】
【図１】本発明に係るコネクタのコネクタハウジングが収容する雄タブ端子の一実施形態の斜視図である。
【図２】図１のＢ矢視図である。
【図３】図１に示した雄タブ端子の側面図（図２のＣ矢視図）である。
【図４】本発明に係るコネクタのコネクタハウジングが収容する雌接続端子の一実施形態の斜視図である。
【図５】図４のＤ矢視図である。
【図６】図４に示した雌接続端子の側面図（図５のＥ矢視図）である。
【図７】本発明に係る雌接続端子を収容するコネクタハウジングの一実施形態の要部の縦断面図である。
【図８】図７のＦ矢視図である。
【図９】図７に示したランス及びスタビライザ係止手段をランスの先端側上方から視た斜視図である。
【図１０】図７に示したランス及びスタビライザ係止手段をランスの後端側上方から視た斜視図である。
【図１１】図１０に示したスタビライザ係止手段にスタビライザが係止された状態の斜視図である。
【図１２】本発明に係るスタビライザ係止手段の他の実施の形態を示すランスの側面図である。
【図１３】従来のコネクタの縦断面図である。
【図１４】図１３のＡ−Ａ断面図である。
【発明を実施するための形態】
【００２４】
以下、本発明に係るコネクタの好適な実施形態について、図面を参照して詳細に説明する。
【００２５】
図１〜図３は本発明に係るコネクタのコネクタハウジングが収容する雄タブ端子の一実施形態を示したもので、図１は本発明の一実施形態の雄タブ端子の斜視図、図２は図１のＢ矢視図、図３は図１に示した雄タブ端子の側面図（図２のＣ矢視図）である。
【００２６】
この一実施形態のコネクタは、図１〜図３に示す雄タブ端子１０、図４〜図６に示す雌型接続端子２０、雌型接続端子２０を収容保持するコネクタハウジング３０等から構成される。
【００２７】
一実施形態における雄タブ端子１０は、金属板のプレス成形品で、先端（図３では、左端）に形成された棒状のタブ１１と、タブ１１の後端に連なる角筒構造の角筒状部１２と、該角筒状部１２の後端に連なる電線圧着部１４と、を備える。
【００２８】
タブ１１の先端部には、後述する雌型接続端子２０への嵌合を容易にするための面取り１５が施されている。
【００２９】
角筒状部１２の上部壁１２ａ側には、コネクタハウジングのランスの突起部が係合するランス係合部１６と、誤挿入防止用のスタビライザ１９と、が形成されている。
ランス係合部１６は、略四角形の開口で、図２に示す雄タブ端子１０の中心軸Ｃ１０に対して、幅方向に偏心した状態で形成されている。また、本実施形態の場合、ランス係合部１６は、ランスの突起部が角筒状部１２の片側の側壁部１２ｂにも係合可能なように、ランスと対向する角筒状部１２の上部壁１２ａと該上部壁１２ａの側縁に連なる側壁部１２ｂとに跨って開口（切り欠き）を形成することで形成されている。
【００３０】
このランス係合部１６の先端側の縁部が、コネクタハウジング上のランスの突起部との当接により抜け止めを実現するランス係合面１６ａとなる。
【００３１】
本実施形態のランス係合面１６ａは、図３に示すように、上部壁１２ａにおける開口の縁部である第１係合面１６１と、側壁部１２ｂにおける開口の縁部で第１係合面１６１の端から上部壁１２ａと略直交する方向に延在する第２係合面１６２とを備えた鉤形（Ｌ字形）の係合面である。
【００３２】
スタビライザ１９は、上部壁１２ａの他側の側壁部１２ｃの上端縁の一部を、上部壁１２ａよりも上方に突出するように延長した突片である。
【００３３】
このスタビライザ１９は、雄タブ端子１０が上下逆転してコネクタハウジングに誤挿入されることを防止するために設けられている。
【００３４】
電線圧着部１４は、電線の導体に圧着される導体加締め片１７と、電線の被覆部に加締め付けられる被覆加締め片１８とを備えている。
【００３５】
図４〜図６は本発明に係るコネクタのコネクタハウジングが収容する雌接続端子の一実施形態を示したもので、図４は本発明の一実施形態の雌接続端子の斜視図、図５は図４のＤ矢視図、図６は図４に示した雌接続端子の側面図（図５のＥ矢視図）である。
【００３６】
雌型接続端子２０は、金属板のプレス成形品で、先端（図６では左端）に形成された角筒状の端子嵌合部２１と、端子嵌合部２１の後端に連なる角筒構造の角筒状部２２と、角筒状部２２の後端に連なる電線圧着部２４と、を備える。
【００３７】
本実施形態の場合、角筒状部２２は、端子嵌合部２１の後端側を延長した角筒構造である。角筒状部２２の上部壁２２ａ側には、後述のランス３７の突起部３７ｂが係合するランス係合部としてのランス係合部２３と、誤挿入防止用のスタビライザ２９と、が形成されている。
【００３８】
端子嵌合部２１は、雄タブ端子１０の先端のタブ１１が嵌合可能な角筒構造で、タブ１１が嵌合接続される。端子嵌合部２１の内部には、図６に示すように、挿入されたタブ１１を上面２１ａ側に押圧してタブ１１との導通接続を実現する押圧バネ片２６が、設けられている。
【００３９】
ランス係合部２３は、後述のコネクタハウジング３０におけるランス３７の突起部３７ｂが係合する略四角形の開口である。このランス係合部２３は、図５に示す雌型接続端子２０の中心軸Ｃ２０に対して、幅方向に偏心した状態で形成されている。また、本実施形態の場合、ランス係合部２３は、後述のランス３７の突起部３７ｂが角筒状部２２の片側の側壁部２２ｂにも係合可能なように、後述のランス３７と対向する角筒状部１２の上部壁２２ａと該上部壁の片側の側縁に連なる側壁部２２ｂとに跨って開口（切り欠き）を形成することで形成されている。
【００４０】
このランス係合部２３の先端側の縁部が、ランス３７の突起部３７ｂとの当接により抜け止めを実現するランス係合面２３ａとなる。
【００４１】
本実施形態のランス係合面２３ａは、図４に示すように、上部壁２２ａにおける開口の縁部である第１係合面２３１と、側壁部２２ｂにおける開口の縁部で第１係合面２３１の端から上部壁２２ａと略直交する方向に延在する第２係合面２３２とを備えた鉤形（Ｌ字形）の係合面である。
【００４２】
スタビライザ２９は、上部壁２２ａの他側の側壁部２２ｃの上端縁の一部を、上部壁１２ａよりも上方に突出するように延長した突片である。
【００４３】
このスタビライザ２９は、雌型接続端子２０が上下逆転してコネクタハウジングに誤挿入されることを防止するために設けられている。
【００４４】
電線圧着部２４は、電線の導体に圧着される導体加締め片２７と、電線の被覆部に加締め付けられる被覆加締め片２８とを備えている。
【００４５】
図７〜図１１は雌型接続端子２０を収容保持するコネクタハウジングの一実施形態を示したもので、図７は一実施形態のコネクタハウジング３０の要部の縦断面図、図８は図７のＦ矢視図、図９は図７に示したランス及びスタビライザ係止手段をランスの先端側上方から視た斜視図、図１０は図７に示したランス及びスタビライザ係止手段をランスの後端側上方から視た斜視図、図１１は図１０に示したスタビライザ係止手段にスタビライザが係止された状態の斜視図である。
【００４６】
図７〜図１１に示したコネクタハウジング３０は、雌型接続端子２０を収容保持する雌型ハウジングで、プラスチック材料による射出成型品である。
【００４７】
このコネクタハウジング３０は、雌型接続端子２０を収容する端子収容孔３１と、雌型接続端子２０に嵌合接続する雄タブ端子１０のタブ１１が挿入されるタブ挿通口３３と、雌型接続端子２０のスタビライザ２９を誘導するガイド溝３５と、端子収容孔３１への挿入が完了した雌型接続端子２０の抜けを防止する手段としてのランス３７及びスタビライザ係止手段３８と、を備える。
【００４８】
端子収容孔３１は、ハウジング後端から雌型接続端子２０が挿入可能なように、コネクタハウジング３０の後端面（基端面）３０ａに開口した孔である。
【００４９】
タブ挿通口３３は、ハウジング先端に貫通形成された横断面形状が四角形の孔で、端子収容孔３１の先端側に連通している。
【００５０】
ガイド溝３５は、図７及び図８に示すように、ランス３７の片側の側方に、ランス３７の延在方向に沿って延設されている。ガイド溝３５は、雌型接続端子２０が正規の装着向き（雌型接続端子２０の上部壁２２ａをランス３７側に向けた向き）で端子収容孔３１に挿入された際に、雌型接続端子２０のスタビライザ２９を、端子収容孔３１の長さ方向に沿って摺動可能に支持する。
【００５１】
ランス３７は、端子収容孔３１の長手方向に沿って延在する片持ち梁状の弾性片３７ａと、弾性片３７ａの先端側から端子収容孔３１内に突出する突起部３７ｂとを備えている。ランス３７は、雌型接続端子２０の端子収容孔３１への挿入が完了した際に、突起部３７ｂが雌型接続端子２０のランス係合部２３に係合して、雌型接続端子２０の抜け方向への移動を規制する。
【００５２】
スタビライザ係止手段３８は、本実施形態の場合、図８〜図１０に示すように、ランス３７の側面に一体形成された厚板状の隆起構造である。このスタビライザ係止手段３８は、その上面３８ａが、スタビライザ２９が摺動するガイド溝３５の底面を兼ねるように、ランス３７の側面に一体形成されている。このスタビライザ係止手段３８は、雌型接続端子２０の端子収容孔３１への挿入が完了した際に、図１１に示すように、先端面３８ｂがスタビライザ２９の後端面２９ａと係合して、雌型接続端子２０の抜け方向（図１１の矢印Ｘ方向）への移動を規制する。
【００５３】
本実施形態では、雄タブ端子１０を収容保持するコネクタハウジングは図示していない。しかし、雄タブ端子１０を収容保持するコネクタハウジングも、上記コネクタハウジング３０の場合と同様に、収容した雄タブ端子１０の抜けを防止する手段として、ランスとスタビライザ係止手段を備える。そして、スタビライザ係止手段は、コネクタハウジング３０の場合と同様に、ランスの側面に一体形成された隆起構造として装備される。
【００５４】
以上に説明した一実施形態のコネクタでは、コネクタハウジング３０に収容した雌型接続端子２０の抜け止めを、ランス３７と、スタビライザ係止手段３８とで２重に行う。そのため、接続端子の抜け止め手段としてランスのみしか備えていないコネクタの場合と比較すると、雌型接続端子２０の保持力を向上させることができる。
【００５５】
しかも、一実施形態のコネクタでは、スタビライザ係止手段３８は、ランス３７の側面に一体形成された隆起構造で、構成部品や組立工程の増加を招かない。
【００５６】
従って、一実施形態のコネクタでは、構成部品や組立工程の増加を招くことなく、雌型接続端子２０の保持力を向上させることができる。
【００５７】
また、雄タブ端子１０を収容するコネクタハウジングにおいても、コネクタハウジング３０と同様に、ランスの側面にスタビライザ係止手段を一体に形成した構成としておくことにより、コネクタとしては、嵌合接続する一対のコネクタハウジングのそれぞれにおいて、構成部品の増加防止、組立工程の増加防止を図ることができる。
【００５８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５９】
例えば、ランス３７の側面に一体形成するスタビライザ係止手段３８は、図９及び図１０に示したようにランス３７の長さ方向に沿って延在する長尺の隆起構造ではなく、図１２に示すように、スタビライザ２９が乗り越えて係合する小さな三角形状の隆起構造として、小型軽量化を図ることもできる。
【符号の説明】
【００６０】
１０  雄タブ端子（接続端子）
１６  ランス係合部
１９  スタビライザ
２０  雌型接続端子（接続端子）
２３  ランス係合部
２９  スタビライザ
３０  コネクタハウジング
３１  端子収容孔
３５  ガイド溝
３７  ランス
３８  スタビライザ係止手段
【図１】
0005836623.tif 000002
【図２】
0005836623.tif 000003
【図３】
0005836623.tif 000004
【図４】
0005836623.tif 000005
【図５】
0005836623.tif 000006
【図６】
0005836623.tif 000007
【図７】
0005836623.tif 000008
【図８】
0005836623.tif 000009
【図９】
0005836623.tif 000010
【図１０】
0005836623.tif 000011
【図１１】
0005836623.tif 000012
【図１２】
0005836623.tif 000013
【図１３】
0005836623.tif 000014
【図１４】
0005836623.tif 000015